(57)【要約】無線通信器具において、使用者の干渉によってアンテナの性能特性に生ずる悪影響を最小化するための構造及び方法。電気的に対称なマイクロストリップアンテナ（２０８）は、無線器具（２０２）の本体内部に配置されている。器具が閉じられている（受動状態で）とき、アンテナ（２０８）は、電気的に対称な端部の一つ（２１０）でトランシーバに接続される。器具（２０２）が開いていて、器具に対する身体又は手の接近により使用者の干渉を最も受けやすいときに、アンテナ（２０８）は他の電気的に対称な端部（２１２）においてトランシーバに接続される。アンテナ（２０８）の接続点をシフトすると、身体の接近によって生起される悪影響をより受けにくい位置にアンテナを再配置することができる。他の実施例において、２個のマイクロストリップアンテナ（３０２、３０８）は、無線器具（２０２）の両端部において、ケーシングの内部に配置される。アンテナスイッチ（３０６）は、ある時点においてトランシーバに接続されるアンテナを制御するために使用される。器具（２０２）が閉じていると、スイッチは良好な信号のアンテナ（通常トランシーバ（３０８）に最も近いアンテナ）とトランシーバ（２１８）とを接続することができる。器具が開いていると、使用者干渉による悪影響が最も少ないアンテナ（３０２）をトランシーバユニット（２１８）に接続することができる。
2004500741.tif 000002
【特許請求の範囲】
【請求項１】
制御ヘッドと、
前記制御ヘッドによって少なくとも部分的に制御されるトランシーバユニット、並びに
前記トランシーバユニットに接続され、第１及び第２のタップポイントを持つアンテナを持つアンテナアセンブリと
を少なくとも含む可動型ケーシングを有し、
前記ケーシングが開いているとき、前記トランシーバユニットが前記第１タップポイントから前記第２タップポイントへ切り替えられる
移動局。
【請求項２】
前記ケーシングは更に可動部分と静止部分とを有し、前記ケーシングの可動部分を、前記ケーシングの静止部分から遠ざかるように、スライドすることによって前記ケーシングが開かれる請求項１記載の移動局。
【請求項３】
前記ケーシングは更に可動部分と静止部分とを有し、前記ケーシングの可動部分を、前記ケーシングの静止部分から遠ざかるように、捲ることによって前記ケーシングが開かれる請求項１記載の移動局。
【請求項４】
前記アンテナは内部アンテナである請求項１記載の移動局。
【請求項５】
前記アンテナは電気的に対称なマイクロストリップアンテナである請求項１記載の移動局。
【請求項６】
前記トランシーバユニットを前記第１アンテナタップポイントから前記第２アンテナタップポイントへ切り替えるための静止コネクタを更に有する請求項１記載の移動局。
【請求項７】
前記アンテナが、前記移動局のケーシングの可動部内にある請求項１記載の移動局。
【請求項８】
制御ヘッドと、
前記制御ヘッドによって少なくとも部分的に制御されるトランシーバユニット、並びに
前記トランシーバユニットに接続され、第１アンテナ及び第２アンテナを持つアンテナアセンブリと
を少なくとも含む可動型ケーシングを有し、
前記ケーシングが開いているとき、前記トランシーバユニットが前記第１アンテナから前記第２アンテナへ切り替えられる
移動局。
【請求項９】
前記ケーシングは更に可動部分と静止部分とを有し、前記ケーシングの可動部分を、前記ケーシングの静止部分から遠ざかるように、スライドすることによって前記ケーシングが開かれる請求項８記載の移動局。
【請求項１０】
前記ケーシングは更に可動部分と静止部分とを有し、前記ケーシングの可動部分を、前記ケーシングの静止部分から遠ざかるように、捲ることによって前記ケーシングが開かれる請求項８記載の移動局。
【請求項１１】
前記アンテナが前記ケーシングの内部にある請求項８記載の移動局。
【請求項１２】
前記アンテナの少なくとも１つがマイクロストリップアンテナである請求項８記載の移動局。
【請求項１３】
前記第１及び第２アンテナに接続されるアンテナスイッチを更に有し、前記アンテナスイッチは、前記第１アンテナと前記第２アンテナとの間と、前記トランシーバユニットとを切り替える請求項８記載の移動局。
【請求項１４】
前記第１及び第２アンテナに接続されるデジタル信号プロセッサを更に有し、前記デジタル信号プロセッサは、前記第１アンテナと前記第２アンテナとの間と、前記トランシーバユニットとを切り替える請求項８記載の移動局。
【請求項１５】
前記アンテナの少なくとも一つが、前記移動局のケーシングの可動部内にある請求項８記載の移動局。
【請求項１６】
前記第１及び第２のアンテナに接続されたデジタル信号プロセッサを更に有し、前記移動局がオンのときに前記デジタル信号プロセッサが、前記アンテナ間を動的に切り替える請求項８記載の移動局。
【請求項１７】
可動部分と静止部分とを備えたケーシング、
前記ケーシングの可動部分に固定されたアンテナ、並びに
前記ケーシングの静止部分に固定されたアンテナコネクタを有し、
前記ケーシングが閉じていれば、前記アンテナコネクタが第１のタップポイントで前記アンテナをトランシーバユニットに接続し、且つ前記ケーシングが開いていれば、前記アンテナコネクタが第２のタップポイントで前記アンテナを前記トランシーバユニットに接続する
移動局。
【請求項１８】
前記アンテナが電気的に対称なマイクロストリップアンテナである請求項１７記載の移動局。
【請求項１９】
可動部分と静止部分とを備えたケーシング、
前記ケーシングの可動部分に固定されたアンテナ、並びに
前記アンテナに接続されたトランシーバユニットを有し、
前記アンテナが第１のタップポイントでトランシーバユニットに接続され、且つ使用中に信号損失を最小にするために前記アンテナが動かされることができる　移動局。
【請求項２０】
前記アンテナがマイクロストリップアンテナである請求項１９記載の移動局。
【請求項２１】
可動部分と静止部分とを備えたケーシング、
前記ケーシングの可動部分内に固定された少なくとも１個のアンテナ、
少なくとも１個の他のアンテナ、並びに
前記アンテナに接続されるアンテナコネクタを有し、
前記ケーシングが開いていれば、前記アンテナコネクタが前記アンテナの少なくとも１つを選択的に移動局のトランシーバユニットに接続する
移動局。
【請求項２２】
前記アンテナの少なくとも１つがマイクロストリップアンテナである請求項２１記載の移動局。
【請求項２３】
前記アンテナスイッチが、デジタル信号プロセッサからなる請求項２１記載の移動局。
【請求項２４】
前記アンテナスイッチが、前記移動局がオンのときに前記アンテナの間で動的に切り替えを行うことができるデジタル信号プロセッサからなる請求項２１記載の移動局。
【請求項２５】
移動局のケーシング内にアンテナを固定するステップ、及び
前記移動局の前記ケーシング内にアンテナコネクタを取り付けるステップからなり、
前記アンテナのタップポイントが前記ケーシングが開いていれば変わる
移動局を組み立てる方法。
【請求項２６】
前記アンテナが電気的に対称なマイクロストリップアンテナである請求項２５記載の方法。
【請求項２７】
前記アンテナコネクタが前記移動局の前記ケーシングの静止部分内に配置されている請求項２５記載の方法。
【請求項２８】
前記アンテナが前記移動局の前記ケーシングの可動部分内に固定されている請求項２５記載の方法。
【請求項２９】
移動局のケーシング内に少なくとも２個のアンテナを固定するステップ、及び
アンテナスイッチに前記アンテナを接続するステップを有し、
前記移動局の前記ケーシングが開いていれば、前記アンテナスイッチが前記アンテナの少なくとも１つを選択的に前記移動のトランシーバユニットに接続する　移動局を構築する方法。
【請求項３０】
前記アンテナスイッチがデジタル信号プロセッサからなる請求項２９記載の方法。
【請求項３１】
前記アンテナスイッチが、前記移動局がオンのときに前記アンテナの少なくとも１つと動的に接続することができるデジタル信号プロセッサからなる請求項２９記載の方法。
【請求項３２】
前記アンテナの少なくとも１つが、前記移動局の前記ケーシングの可動部分内にある請求項２９記載の方法。
【請求項３３】
前記アンテナの少なくとも１つが、前記移動局の前記ケーシングの静止部分内にある請求項２９記載の方法。
【請求項３４】
前記アンテナの少なくとも１つが、マイクロストリップアンテナである請求項２９記載の方法。
【発明の詳細な説明】
【０００１】
〔発明の分野〕
この発明はアンテナに関し、特にセルラー電話におけるアンテナの配置に関する。
【０００２】
〔発明の背景〕
アンテナは一般に、電磁波の送信及び受信のために使用される。アンテナは電流を電磁波に変換し（送信）、そして電磁波から電流に変換（受信）することによって機能する。アンテナ性能の一つの基準は「ゲイン」である。ゲインは、アンテナの指向性と効率に基礎を置いている。指向性はエネルギーを所望の方向に集束する能力である。所望であれば、エネルギーを狭いビーム幅に集束することができる。この集束したエネルギーによって、長大な距離を超えて通信する能力が得られるが、アンテナの角度が変わるとビームの方向もまた変化し、このため良好に信号を送るには、アンテナの適切な方位の設定が必要である。アンテナの効率は、特定の信号の受信に関連した消散損失の量に関係している。アンテナを、その意図する用途によって多くの異なる態様で設計することができる。例えば、セルラー電話通信において、アンテナは特定の周波数において最大のゲインが得られるように設計される。かかる設計は、所望の動作周波数の波長の数分の一となるアンテナを製作することによって、通常実現される。
【０００３】
セルラー電話通信のための移動局に使用されるアンテナは一般に、電気的にも物理的にも小さい。アンテナの大きさは、通常使用者の身体に付けられ又は手に持たれる通信器具自体によって決まるものである。移動局用の内部アンテナは、機器をポケットやバックの中に滑り込ませるのに便利であるように有利な形状要素を提供する。外部アンテナは、移動局の長さを増大し、機器がポケット又はバックから取り出されたり、又は戻されたりするときに障害になることが屡々ある。しかしながら、内部アンテナを使用するときには、送受信が種々の要因で妨げられる。セルラー電話通信において、特に関心の持たれる障害は、移動局の使用者の身体による干渉である。このような干渉は、通常移動局と基地局の間に使用者の頭又は手を置くことによって発生する。
【０００４】
使用者の身体は、身体効果として知られる一種の干渉を引き起こす。人間の身体は、電磁波を移動局のトランシーバから離れた所に伝導するので、身体効果が生ずる。携帯電話の場合には、使用者が移動局のアンテナに非常に接近しているので、この作用は一層強められる。例えば、移動局の使用者が電話を使用するときにアンテナの一部を手で覆うことがよく見られる。
【０００５】
使用者が移動局を掴むと、その手が効果的にアンテナの接地面の一部となる。接地面の大きさに生ずる変化は、アンテナの性能特性に悪い影響を及ぼす。アンテナへの影響には、例えば周波数応答のシフトと効率の低下（信号のかなりの損失を含め）が含まれる。
【０００６】
移動局を把持するのに加えて、多くの使用者は、移動局を使用するときに外部アンテナにその指を置いて更に信号ロスを増大する。例えば、セルラー電話通信に関係のある周波数において、使用者はその手でアンテナを覆うことにより、５乃至２０ｄＢ以上のゲイン低下を起こすことがある。
【０００７】
マイクロストリップ、即ち”パッチ”アンテナは、小面積の金属でメッキされた誘電材料、例えばセラミック、から構成される。パッチアンテナは、接地面を必要としている。理論的に、パッチアンテナ用として理想的な接地面は、無限大の大きさである。実際的には、接地面はパッチ自体よりは十分に大きくすべきである。アンテナの性能は、アンテナの大きさと接地面の相対的大きさに直接的に相関している。図１は、マイクロストリップアンテナの例を描いている。アンテナは、パッチアンテナ表面１０２と、アンテナ表面と殆ど同じ大きさの接地表面１０４とから構成されている。誘電材料は、パッチと接地面との間に配置されている。
【０００８】
一般に、マイクロストリップアンテナは、軽量性、平たい形状、低い製作コスト、及び集積回路との親和性に関して利点があることで知られている。最も一般に使用されているマイクロストリップアンテナは、通常二分の一波長及び四分の一波長の辺長さの矩形のパッチアンテナである。他のマイクロストリップアンテナの構成は研究されてきており、円形パッチ、三角パッチ、リングマイクロストリップアンテナ、及び上述のＣ形パッチアンテナとして文献に報告されている。
【０００９】
無線通信機器用、例えば、移動局用の効率的な内部一体型アンテナを開発することに関心が高まっている。高性能の組込型アンテナは、非常に小さい寸法、コンパクトな構造、広いバンド幅、準等方性放射パターンを有し、人間の身体の接近に対し無視可能なほどの感度を有することが必要とされている。移動局は通常、使用中ランダムに向きが変わるので、そのアンテナは垂直偏波と水平偏波の双方に感度を有しなければならない。むち形、スリーブ式ダイポール、及びヘリカル形のような外部アンテナは、無線波の一つの偏波にしか感応しない。結果として、アンテナの向きが固定されていない移動局で使用するには、それらは最適ではない。更に又、その様な外部アンテナが電話の使用者に非常に接近して使用されると、その放射パターンが大きく変化することがあることが判っている。
【００１０】
マイクロストリップアンテナは、小型の携帯可能な無線通信機器にとって、特に組込アンテナが必要なときに、最も好ましいアンテナ型式の一つである。マイクロストリップアンテナは、非常に薄く且つコンパクトな構造で製作できるので、無線機器の種々の型式に容易に適合できる。
【００１１】
移動局用アンテナの他の特徴は、「移動通信機器用アンテナ」と題する１９９８年１月９日出願の米国特許出願シリアル番号０９／００５，１０３に含まれており、これは引用により本明細書に包含されている。
【００１２】
システムの内容についての当業者の知識並びに実施するための改変及び選択の知識を示すのに役立つ追加の一般的な背景は、以下に見いだされる：ブロスキー（Ｂｒｏｄｓｋｙ）の無線：個人用電信電話における革命（１９９５）：ハルテ（Ｈａｒｔｅ）等のＧＳＭスーパーフォーン（１９９９）：リー（Ｌｅｅ）の移動セルラ電信電話（１９９５）：シビィアク（Ｓｉｖｉａｋ）の個人用電信電話のためのラジオ波伝播とアンテナ（１９９８），及びウェブ（Ｗｅｂｂ）の携帯ラジオの理解（１９９８）であり、これらは全て引用により本明細書に含まれている。
【００１３】
〔発明の概要〕
本出願の開示された実施例は、無線通信機器において使用者の干渉によって引き起こされるアンテナ性能特性に対する悪影響を最小化する構成及び方法を提供する。１実施例において、電気的に対称なマイクロストリップアンテナは、無線機器の本体内部に配置される。機器が閉じられている（待機状態で）ときに、アンテナは、電気的に対称な端部の一つにおいてトランシーバに接続される。機器が開けられて、手又は身体が機器に接近することによって使用者干渉をより多く受けやすいとき、アンテナは、他の電気的に対称な端部においてトランシーバに接続される。アンテナの接続点の移動は、身体接近によって生起される悪影響をより受けにくい位置にアンテナを再配置することを可能にする。
【００１４】
他の実施例において、２個のマイクロストリップアンテナは無線機器のケースの両側に配置され、且つ内部に配置している。アンテナスイッチが、ある時においてトランシーバユニットにどのアンテナを接続するかの制御をするために使用される。機器が閉じているとき、スイッチは、信号の良好なアンテナに（通常トランシーバに近いアンテナ）トランシーバを接続する。機器が開いているとき、スイッチは使用者干渉によって受ける悪影響が小さいアンテナにトランシーバユニットを接続する。
【００１５】
開示された実施例は、幾つかの利点をもたらす。改良されたアンテナゲインは、内部アンテナの動的な配置によって達成される。移動局の機器に近い使用者の干渉による信号損失の量は、低減される。通信の信頼性は、良好なゲインでアンテナに接続する移動局の能力によって改善される。アンテナに置かれる移動局の使用者の指による信号損失は無くなる。ＦＣＣの特定吸収率（Ｓｐｅｃｉｆｉｃ Ａｂｓｏｒｐｔｉｏｎ Ｒａｔｉｏ：ＳＡＲ）規制への適合はより容易に達成される。最後に移動局と使用者は、外部アンテナの引っかかりによるアンテナ損傷から保護される。
【００１６】
開示された発明は、本発明の重要な実施例を示し、引用によって本明細書に組み入れられている添付図面を参照して説明される。
【００１７】
〔好ましい実施例の詳細な説明〕
本出願の数多い革新的な教示が、現に好適な実施例に特に関連させて説明される。しかしながら、実施例の本ケースは、本明細書の革新的な教示の利点のある多くの用途の二三の例のみを提供しているものと理解すべきである。一般に、本出願の明細書の中での記述は、種々の請求された発明のいずれかの範囲を必ずしも制限するものではない。更に、幾つかの記述は発明的な特徴の幾つかに適用されるものであり、他のものに適用されるものではない。
【００１８】
図２Ａ及び図２Ｂは、内蔵型の電気的に対称なマイクロストリップアンテナを有する可動型セルラー電話ケーシング２０２を備えた移動局を示している。可動型ケーシングは、使用者が装置の幾つかの機能にアクセスするためにケース２０６の可動部を動かさなければならないことに特徴がある。現に好適な実施例においては、ケーシング２０２はスライド型のケーシングである。現に好適な実施例においては、装置の機能は一般に、数字キーパッド及び他のコントロールキー２１６を介してアクセスされる。これらのキー２１６は、ケース２０４の静止部分に配置している。ケース２０６の可動部は、典型的にはマイクロフォンを内蔵している。ケース２０６の可動部を動かして開位置にすることは一般に、使用者の声をより良くピックアップする位置にマイクロフォンを移動する。
【００１９】
図２Ａは、閉じられているスライド型セルラー電話ケーシング２０２を備えた移動局を図示している。現に好適な実施例において、ケーシング２０２が閉じているときはケース２０６の可動部は、キーボード２１６を被っている。ケーシングが閉じている間は、殆どの機能は使用者がアクセスできない。閉じられているときは、移動局は電源がオンかオフである。電源が入れば、移動局は、使用可能であれば、無線網に登録され、頁又は他の情報を検索する。一般にこのタイプのケーシング２０２では、移動局は、閉じられて電源がオンのとき待機モードにあると考えられている。待機モードでは、使用者は通信を始めることはできない。
【００２０】
現在好適な実施例において、移動局のアンテナ２０８は、ケーシング２０２内に、即ちその可動部２０６内に位置している。電気的に対称なマイクロストリップ（又はストリップライン）アンテナが、現在好適な実施例に使用されている。電気的に対称なマイクロストリップアンテナは、使用可能な１以上のタップ（即ち接触）ポイントを有し、これらは接続されたトランシーバユニットに対し同じアンテナ負荷と特性を有する。即ち、電気的に対称なタップポイント間でタップポイントを変えても、移動局が作動するモード（即ち周波数）は変らない。しかしながら、かかるアンテナの物理的形状は、必ずしも対称形では無い。現在好適な実施例において、アンテナのタップポイント２１０、２１２は、セルラー電話ケーシング２０２に関し、アンテナ２０８の上端及び下端にある。セルラー電話ケーシングが閉じられると、アンテナ２０８は下部タップポイント２１０においてトランシーバユニット２１８に接続する。トランシーバユニット２１８との接続は、ケース２０４の静止部分に固定されたアンテナコネクタ２１４によって実現される。
【００２１】
図２Ｂは、開かれて使用者が操作できるようになっている移動局のスライド型セルラー電話ケーシング２０２を示している。キーボード２１６は、セルラー電話ケース２０４の静止部分に対して下方にスライドされているケース２０６の可動部によって、外部に対し露出している。現在好適な実施例において、セルラー電話ケーシングを開けると、ケース２０６の可動部の内部にあるアンテナ２０８を、アンテナコネクタ２１４の関連で下向きに動かす。ケーシングの静止部分に固定されたアンテナスイッチ２１４に対して、ケース２０６の可動部に固定されているアンテナ２０８を動かすと、アンテナ２０８のタップポイントが変わる。アンテナを下向きに動かせば、トランシーバユニット２１８とのアンテナの接続が下側タップポイント２１０から上側タップポイント２１２に変わる。ケース２０４の静止部分に対するアンテナ２０８の動きは、ケース２０４の静止部分からアンテナを更に遠ざけるように動かす。この動きはケーシング２０２が開いているときに生じ、従って使用者の干渉によってより影響を受けやすいので、信号の損失は減少する。
【００２２】
図３は、代替実施例による１以上の内部アンテナを持つスライド型セルラー電話ケーシングを備えた移動局を図示している。静止部分２０４と可動部２０６を備えたケーシング２０２と使用者が接触するキーボード２１６とは、図２Ａ及び図２Ｂに図示されたように作動する。図３のセルラー電話ケーシングは、２個の内部アンテナ、即ちケーシング２０２の可動部２０６内に位置する下部アンテナ３０２とケーシング２０２の静止部分２０４の上部に位置する上部アンテナ３０８、から構成されている。
【００２３】
各アンテナは、ケーシング２０２の静止部分２０４内に位置するアンテナスイッチ３０６に接続されている。下部アンテナ３０２は、単一のタップポイント３０４に接続（電線接続により）されている。アンテナスイッチ３０６に対する下部アンテナ３０２の接続は、セルラー電話ケーシング２０２の可動部２０６をアンテナ接続部３０４を破損せずに又は大きな応力を加えずに開できるように十分な長さの材料から構成されるべきである。接続部の材料は又、ケーシング２０２の可動部２０６を繰り返して開閉しても耐えられるように十分な可撓性を備えるべきである。上部アンテナ３０８はまた電線接続により単一のタップポイントでアンテナスイッチに接続されている。
【００２４】
アンテナスイッチ３０６は、どのアンテナをトランシーバユニット２１８に接続するかを制御する。アンテナスイッチ３０６は、機械的に（又は電気的に）操作することができる。ケーシング２０２をスライドして開けると、アンテナスイッチを操作し（又は操作のトリガーを行い）、レシーバに接続されるアンテナを上部アンテナ３０８から下部アンテナ３０２に変える。ケーシングが開いているときに下部アンテナに切り替えると、トランシーバユニット２１８の送受信機能をケーシングの静止部分から遠ざける。ケーシング２０２が開いているときにこの切り替えが起き、そのため使用者の干渉をより受けやすいので、信号の損失量が低減される。
【００２５】
図４は、代替実施例による内蔵型マイクロストリップアンテナを持つスライド型セルラー電話ケーシングを備えた移動局を図示している。図４の代替実施例において、トランシーバユニット２１８は、図２Ａ及び図２Ｂに図示された２個のタップポイント（２１０、２１２）の切り替えをしないで、唯一のタップポイント２１２において接続する（電線接続により）ことができる。トランシーバユニット２１８との接続部は、ケース２０６の可動部を完全に開できるように十分に可撓性があり（或いはケーシング２０２の内部に空間を有し）且つ十分な長さを持つべきである。ストリップライン、絶縁銅線、又は同軸ケーブルのような材料がトランシーバユニット２１８との接続を行うために使用できる。代替として、ケーシングの可動部分と静止部分の間のアンテナ信号の伝送を容易にするために、接続に中間コネクタを有することもできる。
【００２６】
図４の代替実施例のケーシング２０２は又、ケース２０４の静止部分から離れる方向に軸回転する（または捲る）ことによって開くように造ることもできる。軸回転は、ケーシング２０２に対して外側に、使用者に対しては、ケーシング２０２の上方へ又は下方へ軸回転することができる。
【００２７】
別の代替実施例において、図３のアンテナスイッチ３０６の代わりをするデジタル信号処理器（ＤＳＰ）は、アンテナ３０２、３０８の双方から信号を受け取るように接続することができる。ＤＳＰは、信号の品質を評価することができ、どちらの接続がより良い信号品質（最小の信号損失）をもたらすかに従い、２個のアンテナの間とトランシーバユニットとの接続をダイナミックに切り替えることができる。代替的に、ＤＳＰはトランシーバユニット２１８との接続のために、アンテナ３０２、３０８からの信号を結合することができる。
【００２８】
図５は、開示された実施例を使用することのできる移動局５００を図示している。移動局５００は、この例においては次を有している：
音響インターフェース、即ちスピーカ５０４とマイクロフォン５０６、を有する制御ヘッド５０２。制御ヘッド５０２は一般に、信号強度などを含む、ダイヤルした数字、蓄積された情報、メッセージ、呼び出し状態情報を使用者が見られるようなディスプレイアセンブリ５０８を有している。制御ヘッドは一般に、使用者が番号をダイヤルし、受信した呼び出しに応答し、蓄積情報を入力し、そして移動局の他の機能を行わせることができるようにキーパッド５１０又は他の使用者制御器具を含んでいる。制御ヘッドは又、キーパッド５１０又は他の制御器具からコマンドを受け入れ且つ状態情報、警告及び他の情報をディスプレイアセンブリ５０８に供給するために、応答可能なロジック制御アセンブリ５１８にインタフェースする制御ユニット５３４を有している：
【００２９】
トランシーバユニット５１２は送信器５１４、受信器５１６、及びロジック制御アセンブリ５１８を含む。送信器５１４は、コーデック（データコーダ／デコーダ）５２０を使用して、マイクロフォン５０６からの低レベルの音声信号をデジタル符号に変換する。デジタル符号にコード化された音声は、シフトキー復変調器５２２を使用して、例えば、その周波数領域において、変調シフトによって表される。ステーションパラメータや制御情報のようなロジック制御アセンブリ５１８によって使用される他のコード伝送は又、送信のためにコード化されてもよい。変調信号はそれから増幅され（５２４）、アンテナアセンブリ５２６を介して送信される：
【００３０】
アンテナアセンブリ５２６は、移動局５００による信号の同時送受信を防止するため、ＴＲ（送受信装置）スイッチ５３６を有している。トランシーバユニット５１２は、ＴＲスイッチ５３６を介してアンテナアセンブリ５２６に接続されている。アンテナアセンブリは、少なくとも１個のアンテナ５３８を有する。開示された実施例に記載されたアンテナ（２０８、３０２、３０８）とアンテナスイッチ（又はＤＳＰ）は、説明した移動局のアンテナアセンブリの一部である：
【００３１】
受信器５１６は、アンテナアセンブリ５２６を介して送信信号を受け取る。信号は増幅され（５２４）、そして復調される（５２２）。もし信号が音声信号であれば、コーデック５２０を使用して復号される。音声信号はそれからスピーカ５０４によって再生される。他の信号は復調の後（５２２）、ロジック制御アセンブリ５１８によって処理される：及び、
【００３２】
汎用目的のマイクロプロセッサ、デジタル信号プロセッサ、及び他の機能のような多くの機能を一つの集積回路に結合する特定用途向け集積回路（即ちＡＳＩＣ）を通常含んでいるロジック制御アセンブリ５１８。ロジック制御アセンブリ５１８は、制御メッセージを使用して送受信器の全般的操作を調整する。種々の開示された実施例は、走査及び他の基地局の評価を制御するためにロジック制御アセンブリを使用する。一般に、移動局のフラッシュメモリ５２８内に記憶されたプログラムによってロジック制御アセンブリは操作される。フラッシュメモリ５２８は、オペレーティングソフトウェアのアップグレード化、ソフトウェアの訂正、新しい特徴の追加を可能としている。フラッシュメモリ５２８は又、短縮ダイヤル名称及び蓄積された番号などの使用者情報を保持するためにも使用される。種々の開示された実施例は典型的には、移動局メモリのこの部分又は他の部分により機能する。
【００３３】
フラッシュメモリ５２８に加えて、移動局は典型的には、起動手順のような変更されるべきでない情報を記憶するための読み出し専用メモリ（ＲＯＭ）５３０、及び、チャンネル番号やシステム識別子のような一時的な情報を保持するためのランダムアクセスメモリ（ＲＡＭ）５３２を含んでいる。
【００３４】
当業者により認められるように、本出願に記載された革新的概念は、多数の用途範囲に亘って改変され、変更されることができ、従って、特許された主題の範囲は記載された特定の例示的教示のいずれによっても制限されるものではない。
【００３５】
例えば、開示された実施例は、特定のプロトコルを使用しない無線移動局の関連で説明されてきた。しかしながら、如何なる無線通信プロトコル、例えばＩＳ−９５、ＩＳ−１３６、ＣＤＭＡ２０００，及びＴＤＭＡも、開示された実施例を利用することができる。
【００３６】
他の例として、開示された実施例は、単一モードの無線移動局の関連で説明されている。しかしながら、多モード移動局も同様に開示された実施例を利用することができる。多モード移動局は、種々のモードのための種々のタップポイントを備えたマイクロストリップアンテナを必要とする。従って、多モードアンテナをトランシーバユニットに接続するための若干の修正が行わなければならないかもしれない。
【００３７】
他の例として、開示された実施例は、単一バンドの無線移動局の関連で説明されている。しかしながら、多バンド移動局も又開示された実施例を利用することができる。多バンド移動局は、種々のバンド用の種々のタップポイントとローブ（ｌｏｂｅ）構成を必要とする。従って、多バンドアンテナをトランシーバユニットに接続するための若干の修正が行わなければならないかもしれない。
【００３８】
他の例として、開示された実施例は、キーボードを被う可動ケーシング部を備えた移動局の関連で説明されている。しかしながら、可動のケーシング部分は、図面に示されたものよりも多く又は少なく移動局を被うことができる。更に、ケーシングは、可動部分がキーボードを必ずしも被わないように製作されることもできる。例えば、アンテナを内蔵するケーシング用の可動部分は、移動局の背面又は側部から、又は、静止前部分又は後部分によって囲まれた移動局の中央部分から上下のどちらにもスライドできる。
【図面の簡単な説明】
【図１】
従来技術のマイクロストリップアンテナの例を示している図である。
【図２Ａ】
内蔵型の電気的に対称なマイクロストリップアンテナを有するスライド型セルラー電話ケーシングを備えた移動局を示している図である。
【図２Ｂ】
内蔵型の電気的に対称なマイクロストリップアンテナを有するスライド型セルラー電話ケーシングを備えた移動局を示している図である。
【図３】
１以上の内部アンテナを備えた移動局用のスライド型セルラー電話ケーシングを示している図である。
【図４】
内蔵型の電気的に対称なマイクロストリップアンテナを有するスライド型セルラー電話ケーシングを備えた移動局を示している図である。
【図５】
開示された実施例を使用することができる移動局のブロックダイヤグラムを示している図である。
【図１】
2004500741.tif 000003
【図２Ａ】
2004500741.tif 000004
【図２Ｂ】
2004500741.tif 000005
【図３】
2004500741.tif 000006
【図４】
2004500741.tif 000007
【図５】
2004500741.tif 000008
【国際公開パンフレット】
2004500741.tif 000009
2004500741.tif 000010
2004500741.tif 000011
2004500741.tif 000012
2004500741.tif 000013
2004500741.tif 000014
2004500741.tif 000015
2004500741.tif 000016
2004500741.tif 000017
2004500741.tif 000018
2004500741.tif 000019
2004500741.tif 000020
2004500741.tif 000021
2004500741.tif 000022
2004500741.tif 000023
2004500741.tif 000024
2004500741.tif 000025
2004500741.tif 000026
2004500741.tif 000027
2004500741.tif 000028
2004500741.tif 000029
2004500741.tif 000030
【国際公開パンフレット（コレクトバージョン）】
2004500741.tif 000031
2004500741.tif 000032
2004500741.tif 000033
2004500741.tif 000034
2004500741.tif 000035
2004500741.tif 000036
2004500741.tif 000037
2004500741.tif 000038
2004500741.tif 000039
2004500741.tif 000040
2004500741.tif 000041
2004500741.tif 000042
2004500741.tif 000043
2004500741.tif 000044
2004500741.tif 000045
2004500741.tif 000046
2004500741.tif 000047
2004500741.tif 000048
【国際調査報告】
2004500741.tif 000049
2004500741.tif 000050
2004500741.tif 000051